(57)【要約】【課題】各分類ポケットの情報を分かりやすくした投票用紙分類装置を提供する。【解決手段】投票用紙分類装置１は、記載された候補者名をスキャナ１３によって読み取られた後、記載された候補者名ごとに投票用紙が収納される４つの分類ポケット１４を有している。各分類ポケット１４の隣には、小型液晶ディスプレイ１５が設けられている。小型液晶ディスプレイ１５には、パソコン３に入力された候補者名や、対応する候補者の得票数、対応する分類ポケット１４の投票用紙抜き出し情報が表示される。【選択図】図１
2011054103.tif 000002
【特許請求の範囲】
【請求項１】
投票用紙の束から１枚ずつ投票用紙を送り出す送出手段と、
送り出された前記投票用紙に記載された候補者名を読み取る読取手段と、
前記候補者名ごとに前記投票用紙を収容する複数の分類ポケットと、
前記読取手段によって読み取られた各候補者の得票数を集計すると共に前記投票用紙を各候補者に対応する前記分類ポケットに分類する集計分類手段と、
前記分類ポケットのそれぞれの近傍に設けられた複数の表示部と、
該表示部のそれぞれに、対応する候補者名を表示させる表示手段と
を備える投票用紙分類装置。
【請求項２】
前記集計分類手段は、各候補者の得票数を、該候補者名に対応する前記表示部に表示させる、請求項１に記載の投票用紙分類装置。
【請求項３】
前記集計分類手段は、各候補者の得票数に基づいて、該候補者に対応する分類ポケット内に収容された投票用紙の枚数が収容可能枚数に達したか否かを判定し、該収容可能枚数に達したと判定した場合には、前記候補者に対応する表示部に、収容された投票用紙の抜き取り情報を表示させる、請求項１に記載の投票用紙分類装置。
【発明の詳細な説明】
【技術分野】
【０００１】
この発明は、投票用紙分類装置に係り、特に、投票用紙に記載された候補者名を読み取って各候補者の得票数を集計すると共に、各候補者に対応する各分類ポケットに投票用紙を分類する投票用紙分類装置に関する。
【背景技術】
【０００２】
各種紙葉類を、対応する分類ポケットに分類する分類装置が、例えば特許文献１等に記載されている。このような機能を有する従来の投票用紙分類装置では、各分類ポケットに二色のＬＥＤを配置して、各分類ポケットについての情報（投票用紙の有無、投票用紙の抜き取りの可否、投票用紙の抜き取りの勧告等）を表示している。また、各分類ポケットがどの候補者のものであるかを表示するために、候補者名を記載したテープ等を手作業で貼付したりしている。
【先行技術文献】
【特許文献】
【０００３】
【特許文献１】特開２００７−３３４７７３号公報
【発明の概要】
【発明が解決しようとする課題】
【０００４】
しかしながら、ＬＥＤの点灯のみでは、誰が見ても各分類ポケットの情報を正確に認識することができるわけではないといった問題点があった。また、候補者名を記載したテープ等を貼付する作業が面倒であるといった問題点もあった。
【０００５】
この発明はこのような問題点を解決するためになされたもので、各分類ポケットの情報を分かりやすくした投票用紙分類装置を提供することを目的とする。
【課題を解決するための手段】
【０００６】
この発明に係る投票用紙分類装置は、投票用紙の束から１枚ずつ投票用紙を送り出す送出手段と、送り出された前記投票用紙に記載された候補者名を読み取る読取手段と、前記候補者名ごとに前記投票用紙を収容する複数の分類ポケットと、前記読取手段によって読み取られた各候補者の得票数を集計すると共に前記投票用紙を各候補者に対応する前記分類ポケットに分類する集計分類手段と、前記分類ポケットのそれぞれの近傍に設けられた複数の表示部と、該表示部のそれぞれに、対応する候補者名を表示させる表示手段とを備える。
前記集計分類手段は、各候補者の得票数を、該候補者名に対応する前記表示部に表示させてもよい。
前記集計分類手段は、各候補者の得票数に基づいて、該候補者に対応する分類ポケット内に収容された投票用紙の枚数が収容可能枚数に達したか否かを判定し、該収容可能枚数に達したと判定した場合には、前記候補者に対応する表示部に、収容された投票用紙の抜き取り情報を表示させてもよい。
【発明の効果】
【０００７】
この発明によれば、候補者名ごとに投票用紙を収容する複数の分類ポケットのそれぞれの近傍に、対応する候補者名、各候補者の得票数、各候補者名に対応する分類ポケットの抜き取り情報を表示する表示部を設けたので、各分類ポケットの情報を分かりやすくすることができる。
【図面の簡単な説明】
【０００８】
【図１】この発明の実施の形態に係る投票用紙分類装置の概略構成図である。
【図２】この実施の形態に係る投票用紙分類装置の表示部の表示例である。
【発明を実施するための形態】
【０００９】
以下、この発明の実施の形態を添付図面に基づいて説明する。
図１に示されるように、投票用紙分類装置１は、投票用紙の束６が置かれるホッパ１１と、投票用紙の束６から一枚ずつ投票用紙を搬送通路１７に沿って送り出す送出手段である送りローラ１２と、送りローラ１２よって送り出された投票用紙に記載されている候補者名を読み取る読取手段であるスキャナ１３と、投票用紙が収納される４つの分類ポケット１４と、各分類ポケット１４の隣に設けられた表示部である４つの小型液晶ディスプレイ１５とを備えている。各分類ポケット１４は、投票用紙分類装置１の正面から、引き出し可能に設けられている。各小型液晶ディスプレイ１５は、それらの隣に配置された各分類ポケット１４に対応しており、各分類ポケット１４についての各種情報を表示するものである。尚、図１において、破線及び一点鎖線で描かれた構成要件は、投票用紙分類装置１の内部に存在するもので、正面からは視認できないものである。
【００１０】
また、投票用紙分類装置１には、接続ケーブル２を介して、パソコン３が接続されており、接続ケーブル２を介して、スキャナ１３及び小型液晶ディスプレイ１５がそれぞれ、パソコン３に電気的に接続されている。これにより、パソコン３に、各小型液晶ディスプレイ１５に表示する候補者名を入力すると、図２（ａ）に示されるように、各小型液晶ディスプレイ１５に候補者名が表示されるようになっている。これにより、候補者名を記載したテープ等を手作業で貼付する必要がなくなる。ここで、パソコン３は、各小型液晶ディスプレイ１５に対応する候補者名を表示させる表示手段を構成する。
【００１１】
スキャナ１３によって読み取られた投票用紙の画像はパソコン３に伝送され、パソコン３は、どの候補者名が投票用紙に記載されているかを認識し、各候補者の得票数を集計するようになっている。また、パソコン３は、これと同時に、各候補者に対応する分類ポケット１４に投票用紙を振り分けるようになっている。ここで、パソコン３は、各候補者の得票数を集計すると共に投票用紙を各候補者に対応する分類ポケット１４に分類する集計分類手段も構成する。また、パソコン３には、各分類ポケット１４に収容できる投票用紙の枚数（以下、「収容可能枚数」と称する）が設定されている。
【００１２】
次に、この実施の形態に係る投票用紙分類装置の動作について説明する。
投票用紙の束６をホッパ１１に置き、投票用紙分類装置１を起動させると、送りローラ１２が、投票用紙を一枚ずつ投票用紙分類装置１内の搬送通路１７に沿って送り出す。送り出された投票用紙は、スキャナ１３によって、記載された候補者名を画像として読み取られ、その画像データは、接続ケーブル２を介してパソコン３に伝送される。パソコン３は、公知の画像処理方法により、投票用紙に記載された候補者名を認識し、その候補者の得票数を集計する。また、パソコン３は、これと同時に、スキャナ１３を通り越した投票用紙を、搬送通路１７に設けられた図示しない公知の振り分け機構を作動させることにより、各候補者に対応する分類ポケット１４に振り分ける。
【００１３】
図２（ｂ）に示されるように、パソコン３は、集計した各候補者の得票数を、対応する小型液晶ディスプレイ１５に表示するようにしてもよい。これにより、集計中における各分類ポケット１４に分類された投票用紙の枚数をリアルタイムで表示することができる。小型液晶ディスプレイ１５には、図２（ａ）のような候補者名及び図２（ｂ）のような得票数を表示可能であるが、これらの表示を切り替えるボタン等を設けて、そのボタン等を押すことにより、これらの表示を切り替えるようにしてもよいし、各表示を一定間隔で、繰り返し交互に表示させるようにしてもよい。
【００１４】
上記動作を繰り返すことにより、各候補者の得票数が集計されると共に、候補者名を読み取られた投票用紙が、対応する分類ポケット１４に振り分けられていくが、パソコン３は、各候補者の得票数が、予め設定されている収容可能枚数に達しているかどうかを常に判定している。各分類ポケット１４には、対応する候補者名が記載された投票用紙が収容されていくので、各分類ポケット１４に収容されている投票用紙の枚数と、対応する候補者の得票数とは同じになる。そこで、パソコン３は、各候補者の得票数が収容可能枚数に達したと判定したら、図２（ｃ）に示されるように、各候補者に対応する小型液晶ディスプレイ１５に、分類ポケット１４に収容された投票用紙を抜き出す情報を表示するようにしてもよい。これにより、誰が見ても、投票用紙を抜き出す必要があることを理解することができるので、迅速な対応が可能になる。尚、図２（ｃ）の表示については、各候補者の得票数が収容可能枚数に達したと判定された後は、分類ポケット１４から投票用紙が抜き出されるまで表示し続けるようにしてもよいし、図２（ａ）〜（ｃ）の表示を、一定間隔で、繰り返し交互に表示させるようにしてもよい。
【００１５】
このように、候補者名ごとに投票用紙を収容する複数の分類ポケット１４のそれぞれの隣に、対応する候補者名、各候補者の得票数、各候補者に対応する分類ポケット１４の抜き取り情報を表示する小型液晶ディスプレイ１５を設けたので、各分類ポケット１４の情報を分かりやすくすることができる。
【００１６】
実施の形態では分類ポケットの個数は４つであったが、４つに限定するものではなく、いくつの分類ポケットが設けられていてもよい。また、図１に示される投票用紙分類装置に、分類ポケットが設けられた増設ユニットを取り付けることによって、分類ポケットを増加可能にしてもよい。
【符号の説明】
【００１７】
１  投票用紙分類装置、３  パソコン（表示手段、集計分類手段）、６  投票用紙の束、１２  送りローラ（送出手段）、１３  スキャナ（読取手段）、１４  分類ポケット、１５  小型液晶ディスプレイ（表示部）。
【図１】
2011054103.tif 000003
【図２】
2011054103.tif 000004